(57)【要約】【課題】ディスプレイ素子を提供する。【解決手段】ディスプレイ素子は、ディスプレイパネルと、ディスプレイパネル上に形成された透明フィルム及び透明フィルムとディスプレイパネルとの間に形成された緩衝層とを含む。この緩衝層は接着性を有する。これにより、接着性を有する緩衝層を用いて液晶パネル上に付着された高分子フィルム又は高分子フィルムとハードコーティング層を含む透明フィルムを提供し、従来携帯用表示装置と比較して厚さ及び重さを低減させることができる。【選択図】図１Ａ
2006195466.tif 000002
【特許請求の範囲】
【請求項１】
第１の基板、前記第１の基板上に液晶層を介在して形成された第２の基板を含む液晶パネル；
前記第２の基板の表面に形成され、前記液晶パネルを保護するための透明フィルム；および
前記透明フィルムと前記第２の基板との間に形成された緩衝層；
を含むことを特徴とする液晶表示装置。
【請求項２】
前記緩衝層は、接着性を有する請求項１に記載の液晶表示装置。
【請求項３】
前記緩衝層は、少なくとも約６０％の光透過率を有する請求項１又は２に記載の液晶表示装置。
【請求項４】
前記緩衝層は、シリコン系樹脂及びアクリル系樹脂からなる群から選択される物質を含む請求項１〜３のいずれか１つに記載の液晶表示装置。
【請求項５】
前記透明フィルムは、少なくとも約６０％の光透過率を有する高分子フィルムを含む請求項１〜４のいずれか１つに記載の液晶表示装置。
【請求項６】
前記高分子フィルムは、ポリエチレンテレフタレート、ポリカーボネート及びポリメチルメタアクリレートからなる群から選択される物質を含む請求項５に記載の液晶表示装置。
【請求項７】
前記透明フィルムは、前記高分子フィルム上に形成されたハードコーティング層をさらに含む請求項５又は６に記載の液晶表示装置。
【請求項８】
前記ハードコーティング層は、感光性樹脂を含む請求項７に記載の液晶表示装置。
【請求項９】
前記緩衝層は、相異なる特性を有する少なくとも二つの層を含む請求項１〜８のいずれか１つに記載の液晶表示装置。
【請求項１０】
前記緩衝層は、透明フィルムに接着する第１の接着層と、液晶パネルに付着する第２の接着層及び第１の接着層と第２の接着層との間に形成されたクッション層とを含む請求項９に記載の液晶表示装置。
【請求項１１】
第１の基板、前記第１の基板上に液晶層を介在して形成された第２の基板をそれぞれ含む第１及び第２の液晶パネルを含み、前記第１及び第２の液晶パネルの前記第１の基板が互いに対向する液晶パネルモジュール；
前記液晶パネルモジュールの前記各第２の基板の表面にそれぞれ形成され、前記第１及び第２の液晶パネルを保護するための透明フィルム；および
前記透明フィルムと前記各第２の基板との間に形成された緩衝層；
を含むことを特徴とする液晶表示装置。
【請求項１２】
前記緩衝層は、接着性を有する請求項１１に記載の液晶表示装置。
【請求項１３】
前記緩衝層は、少なくとも約６０％の光透過率を有する請求項１１又は１２に記載の液晶表示装置。
【請求項１４】
前記緩衝層は、相異なる特性を有する少なくとも二つの層を含む請求項１１〜１３のいずれか１つに記載の液晶表示装置。
【請求項１５】
前記緩衝層は、透明フィルムに接着する第１の接着層と、液層パネルに付着する第２の接着層及び第１の接着層と第２の接着層との間に形成されたクッション層とを含む請求項１４に記載の液晶表示装置。
【請求項１６】
第１の基板、前記第１の基板上に液晶層を介在して形成された第２の基板を含む液晶パネルと、前記第２の基板の表面に形成されて前記液晶パネルを保護するための透明フィルム及び前記透明フィルムと前記第２の基板との間に形成された緩衝層とを含む液晶表示装置；
前記液晶表示装置を収容及び支持するフレーム；および
前記フレームをハウジングするケース；
を含むことを特徴とする携帯用表示装置。
【請求項１７】
前記緩衝層は、接着性を有する請求項１６に携帯用表示装置。
【請求項１８】
前記緩衝層は、少なくとも約６０％の光透過率を有する請求項１６又は１７に記載の携帯用表示装置 。
【請求項１９】
前記緩衝層は、相異なる特性を有する少なくとも二つの層を含む請求項１６〜１８のいずれか１つに記載の携帯用表示装置。
【請求項２０】
前記緩衝層は、透明フィルムに接着する第１の接着層と、液晶パネルに付着する第２の接着層及び第１の接着層と第２の接着層との間に形成されたクッション層とを含む請求項１９に記載の携帯用表示装置。
【請求項２１】
第１の基板、前記第１の基板上に液晶層を介在して形成された第２の基板をそれぞれ含む第１及び第２の液晶パネルを含み、前記第１及び第２の液晶パネルの前記第１の基板が互いに対向する液晶パネルモジュールと、前記液晶パネルモジュールの前記各第２の基板の表面にそれぞれ形成されて前記第１及び第２の液晶パネルを保護するための透明フィルム及び前記透明フィルムと前記各第２の基板との間に形成された緩衝層とを含む液晶表示装置；
前記液晶表示装置を収容及び支持するフレーム；および
前記フレームをハウジングするケースを含むことを特徴とする携帯用表示装置。
【請求項２２】
前記緩衝層は、接着性を含む請求項２１に携帯用表示装置。
【請求項２３】
前記緩衝層は、少なくとも約６０％の光透過率を有する請求項２１又は２２に記載の携帯用表示装置。
【請求項２４】
前記緩衝層は、相異なる特性を有する少なくとも二つの層を含む請求項２１〜２３のいずれか１つに記載の携帯用表示装置。
【請求項２５】
前記緩衝層は、透明フィルムに接着する第１の接着層と、液晶パネルに付着する第２の接着層及び第１の接着層と第２の接着層との間に形成されたクッション層とを含む請求項２４に記載の携帯用表示装置。
【請求項２６】
ディスプレイパネル；
前記ディスプレイパネル上に形成された透明フィルム；および
前記透明フィルムと前記ディスプレイパネルとの間に形成された緩衝層を含むことを特徴とするディスプレイ素子。
【請求項２７】
ディスプレイパネル；
前記ディスプレイパネル上に形成された透明フィルム；および
前記透明フィルムと前記ディスプレイパネルとの間に形成され、接着性があり、少なくとも約６０％の光透過率を有する緩衝層を含むことを特徴とするディスプレイ素子。
【請求項２８】
ディスプレイパネル；
前記ディスプレイパネル上に形成された透明フィルム；
前記透明フィルムと前記ディスプレイパネルとの間に形成され、相異なる特性を有する少なくとも二つの層を含む緩衝層を含むことを特徴とするディスプレイ素子。
【請求項２９】
前記緩衝層は、透明フィルムに接着する第１の接着層と、ディスプレイパネルに付着する第２の接着層及び第１の接着層と第２の接着層との間に形成されたクッション層とを含む請求項２８に記載のディスプレイ素子。
【発明の詳細な説明】
【技術分野】
【０００１】
本発明は、液晶表示装置、これを含む携帯用表示装置及びディスプレイ素子に関し、より詳しくは、薄型軽量化液晶表示装置、これを含む携帯用表示装置及びディスプレイ素子に関するものである。
【背景技術】
【０００２】
一般に、液晶表示装置は、薄膜トランジスターアレイを備える第１の基板とこれに液晶を介在して結合される、カラーフィルター層を備えた第２の基板から構成された液晶パネルを製造した後、駆動ＩＣドライバーなどを付着するなどの作業を通じて完成する。
このように完成した液晶表示装置は、画像実現を必要とする多様な装置、例えば携帯用電話機、ノートコンピューター及びＰＤＡなどの携帯用表示装置に使用される。
【０００３】
ここで、携帯用表示装置を組み立てるためには、液晶表示装置を所定のフレーム内に固定し、画像が実現される部分が露出されるようにウィンドウが形成されたケース内に収容する。その後、ケースのウィンドウを通じて露出される液晶表示装置を保護するために、液晶表示装置と所定間隔離隔しながら、透明ガラス又はプラスチック材料で覆われた保護窓を設ける。
【０００４】
しかし、このような保護窓は、相当な厚さと重さとを占め、外部衝撃により、破損しやすい。
【特許文献１】韓国公開特許第2004-0079535号
【発明の開示】
【発明が解決しようとする課題】
【０００５】
本発明の技術的課題は、薄型軽量化したディスプレイ素子を提供ことである。
本発明の他の技術的課題は、薄型軽量化した液晶表示装置を提供することである。
本発明のさらに他の技術的課題は、薄型軽量化した液晶表示装置を含む携帯用表示装置を提供することである。
本発明は、上述した技術的課題に限定されることなく、言及されていないさらなる他の技術的課題を提供する。これらの他の技術的課題は、以下の記載から当業者に明確に理解できるものである。
【課題を解決するための手段】
【０００６】
前述した技術的課題を達成するための本発明の一実施形態による液晶表示装置は、第１の基板、第１の基板上に液晶層を介在して形成された第２の基板を含む液晶パネルと、第２の基板の表面に形成されて液晶パネルを保護するための透明フィルム及び透明フィルムと第２の基板との間に形成された緩衝層とを含む。
前述した他の技術的課題を達成するための本発明の他の実施形態による液晶表示装置は、第１の基板、第１の基板上に液晶層を介在して形成された第２の基板をそれぞれ含む第１及び第２の液晶パネルを含み、第１及び第２の液晶パネルの第１の基板が互いに対向する液晶パネルモジュールと、液晶パネルモジュールの各第２の基板の表面にそれぞれ形成されて第１及び第２の液晶パネルを保護するための透明フィルム及び透明フィルムと各第２の基板との間に形成された緩衝層とを含む。
【０００７】
前述したさらに他の技術的課題を達成するための本発明の一実施形態による携帯用表示装置は、第１の基板、第１の基板上に液晶層を介在して形成された第２の基板を含む液晶パネルと、第２の基板の表面に形成されて液晶パネルを保護するための透明フィルム及び透明フィルムと第２の基板との間に形成された緩衝層を含む液晶表示装置と、液晶表示装置を収容及び支持するフレーム及びフレームをハウジングするケースとを含む。
【０００８】
前述したさらに他の技術的課題を達成するための本発明の他の実施形態による携帯用表示装置は、第１の基板、第１の基板表面に液晶層を介在して形成された第２の基板をそれぞれ含む第１及び第２の液晶パネルを含み、第１及び第２の液晶パネルの第１の基板が互いに対向する液晶パネルモジュールと、液晶パネルモジュールの各第２の基板の表面にそれぞれ形成されて第１及び第２の液晶パネルを保護するための透明フィルム及び透明フィルムと各第２の基板との間に形成されている緩衝層を含む液晶表示装置と、液晶表示装置を収容及び支持するフレーム及びフレームをハウジングするケースとを含む。
【０００９】
前述した他の技術的課題を達成するための本発明の一実施形態によるディスプレイ素子は、ディスプレイパネルと、ディスプレイパネル表面に形成された透明フィルムと、透明フィルムとディスプレイパネルとの間に形成された緩衝層とを含む。
これらの装置及び素子においては、緩衝層は、接着性があってもよいし、少なくとも約６０％の光透過率を有するものであってもよいし、相異なる特性を有する少なくとも二つの層を含んでいてもよいし、シリコン系樹脂及びアクリル系樹脂からなる群から選択される物質を含んでいてもよいし、２つの接着層で挟持されたクッション層を含んでいてもよい。
【００１０】
また、透明フィルムは、少なくとも約６０％の光透過率を有する高分子フィルムを含んでいてもよいし、高分子フィルムは、ポリエチレンテレフタレート、ポリカーボネート及びポリメチルメタアクリレートからなる群から選択される物質を含んでいてもよいし、高分子フィルム上に形成されたハードコーティング層をさらに含んでいてもよいし、ハードコーティング層は、感光性樹脂を含んでいてもよい。
【発明の効果】
【００１１】
本発明のディスプレイ素子及び液晶表示装置によれば、緩衝層を備えているため、外部衝撃、スクラッチ及び／又は化学薬品から液晶パネル等のパネルを効果的に保護することができる。
特に、接着性を有する緩衝層を用いて液晶パネル上に付着された高分子フィルム又は高分子フィルムとハードコーティング層とを含む透明フィルムを備える場合には、このような透明フィルムと緩衝層によって、外部からの衝撃又はスクラッチからより効果的に保護することができ、こうした液晶パネルを含む携帯用表示装置等は従来の携帯用表示装置と比較して、さらなる薄膜化及び軽量化を実現することができる。
【発明を実施するための最良の形態】
【００１２】
本発明の利点及び特徴、そしてそれらを達成する方法は添付する図面と共に詳細に後述している実施形態を参照すれば明確になる。しかし、本発明は、以下で開示される実施形態に限定されるものではなく、相異なる多様な形態で具現化されるものである。本実施形態は、本発明の開示が完全となり、当業者に発明の範疇を完全に知らせるために提供されるものであり、本発明は、特許請求の範囲の記載に基づいて決められなければならない。なお、明細書全体にかけて同一参照符号は同一構成要素を示すものとする。
【００１３】
以下、本発明の好適な実施形態によるディスプレイ素子について説明する。
本発明のディスプレイ素子は、ディスプレイパネルと、透明フィルム及び透明フィルムとディスプレイパネルとの間に形成された緩衝層とを含む。以下では、ディスプレイ素子として液晶表示装置が例示されるが、本発明はこれに限定されず、画像を表示できる多様なディスプレイ素子に適用可能である。なお、液晶表示装置ではディスプレイパネルとして液晶パネルを含む。
【００１４】
図１Ａ及び図１Ｂは、本発明の一実施形態による液晶表示装置１０の一部断面図である。ここで、各層は、必ずしも実際サイズ（膜厚）を示すものではない。
図１Ａ及び図１Ｂを参照すれば、本発明の一実施形態による液晶表示装置１０は、透明フィルム１１０、緩衝層１２０、液晶パネル１３０及びバックライトユニット１４０などを含む。
【００１５】
この構成要素は、図示されていないが、画像実現を必要とする装置、例えば、携帯用表示装置、ＬＣＤモニターなどに装着されるとき、多数のフレーム、例えば、モールドフレーム、金属フレームなどの構造物に収容、固定及び支持され、外部ケースによってハウジングされる。
透明フィルム１１０は、液晶パネル１３０を保護するための層であって、外部からのスクラッチを防止し、及び耐薬品性を確保するための層である。透明フィルム１１０は、スクラッチに強く、耐薬品性がある材質で形成されていることが好ましい。また、透明フィルム１１０は、液晶パネル１３０を通じて実現される画像が外部から観察できるようにするために、例えば、少なくとも約６０％の光透過率、約９０％以上の光透過率を有していることが好ましい。したがって、透明フィルム１１０は、前述したような特性を満足させる高分子フィルムによって形成することができる。例えば、ポリエチレンテレフタレート（ＰＥＴ）、ポリカーボネート（ＰＣ）及びポリメチルメタアクリレート（ＰＭＭＡ）などからなる群から選択される物質が挙げられる。この際、透明フィルムの厚さは、特に限定されず、例えば、０．２ｃｍ〜０．８ｃｍが挙げられる。
【００１６】
緩衝層１２０は、透明フィルム１１０の下部に形成されて外部の衝撃から液晶パネル１３０を保護する。また、緩衝層１２０は、液層パネル１３０の表面に透明フィルム１１０を接着させることができる。図１Ａに示したたように、緩衝層１２０は、接着機能と緩衝機能との双方を有する単一構造としてもよく、図１Ｂに示したように、接着機能と緩衝機能とをそれぞれ有する多数の層からなる多層構造であってもよい。緩衝層１２０は、相異なる特性を有する少なくとも二つの層により構成される場合には、例えば、接着機能を有する接着層とクッション機能とを有するクッション層とを含むことができる。図１Ｂに示したように、透明フィルム１１０に接着する第１の接着層１２２、液晶パネル１３０に付着する第２の接着層１２３及び第１の接着層１２２と第２の接着層１２３との間に形成されたクッション層１２３を含む構造とすることが好ましい。
【００１７】
緩衝層１２０の接着性に関しては、透明フィルム１１０を液晶パネル１３０に強力に接着させることができるように、緩衝層１２０は透明フィルム１１０と液晶パネル１３０との両側全てにおいて接着特性に優れた材質からなることが好ましい併せて、液晶パネル１３０を通じて実現される画像が緩衝層１２０及び透明フィルム１１０を経て外部から観察できなければならないので、緩衝層１２０は、例えば、少なくとも約６０％の光透過率、約９０％以上の光透過率を有していることが好ましい。
【００１８】
また、緩衝層１２０の緩衝機能に関しては、温度変化に影響をうけにくい材質からなることが好ましい。特に、緩衝層１２０が低温で高硬度になる材質から構成される場合には、外部衝撃によって割れやすくなり、衝撃を吸収して緩衝させる役割を碌に遂行できない。したがって、緩衝層１２０は、前述したような特性を全て満足できる材質として、例えば、シリコン樹脂又はアクリル樹脂を含むことが好ましい。シリコン樹脂としては、例えば日本ＧＥＬ  ＴＥＣ社のＯＰＴ００１−６０、アクリル樹脂としては、例えば日本三菱社のＣＬＥＡＲ  ＦＩＴ、韓国３Ｍ社のＯＣＡ（Ｏｐｔｉｃａｌ  Ｃｌｅａｒ  Ａｄｈｅｓｉｖｅ）などが挙げられる。この際、緩衝層１２０の厚さは、特に限定されるものではないが、０．１ｃｍ〜０．５ｃｍが挙げられる。前述したように、緩衝層１２０が接着機能と緩衝機能とを一つの層に含む場合、液晶表示装置の薄形化にさらに有利である。
【００１９】
液晶パネル１３０は、緩衝層１２０の下部に設けられ、第１の基板１３１、液晶層１３２、第２の基板１３３、第１の偏光板及び第２の偏光板１３４、１３５などを含む。
第１の基板１３１は、基板上に薄膜トランジスターアレイ及び画素電極が配列された基板である。ここで、薄膜トランジスターアレイは、画素電極に電圧を印加するためのスイッチング素子として用いられる。第２の基板１３３は、赤（Ｒ）、緑（Ｇ）、青（Ｂ）の色相を示すためのカラーフィルター層を備えた基板である。カラーフィルター層を含む第２の基板は、全面に共通電極が形成されており、カラーフィルター層上に形成された共通電極は、液晶に電圧を印加する一側電極の役割を果たし、第１の基板１３１に形成された画素電極と相互作用して電界を形成する。なお、第１の基板及び第２の基板を構成する基板は、ガラス及びプラスチック等によって形成することができる。
【００２０】
第１の基板１３１と第２の基板１３３との間には液晶層１３２が介在されており、これにより液晶表示装置１０が形成できる。また、第１及び第２の偏光板１３４、１３５がそれぞれ第１及び第２の基板１３１、１３３の最外郭に付着されて、可視光線を線偏光する。
バックライトユニット１４０は、液晶パネル１３０の下部に設けられ、液晶パネル１３０に光を与えるものであり、光学シート１４１、導光板１４２、光源１４３及び反射シート１４４を含む。
【００２１】
光学シート１４１は、液晶パネル１３０の下部に形成され、プリズムシート、拡散シートなどを含む。拡散シートは、導光板１４２上の射出光部分に設けられて、導光板１４２を通じて入射される光を拡散、散乱させ、バックライトユニット１４０の射出光面の正面方向の輝度を増大させ、均一化させる。プリズムシートは、シート面に溝が形成された構造を有し、拡散シートから出る光をバックライトユニット１４０の射出光面の正面以外の方向に出射することを防ぎ、光指向性を向上させる。これは、バックライトユニット１４０の射出光面の正面方向への輝度を増大させる。通常、バックライトユニット１４０には、垂直／水平タイプの二つのプリズムシートが使用される。
【００２２】
導光板１４２は、光源１４３からの線光源を面光源に変換させる構成要素として、例えばアクリル樹脂であるポリメチルメタアクリレート（ＰＭＭＡ）が使用される。蛍光ランプのように線光源を使用する液晶表示装置用バックライトユニット１４０の大部分は導光板１４２を使用しており、これ以外にも多様な種類の導光板方式が使用できる。
光源１４３は、光を発散する発光体として、電球、ＬＥＤ、ＥＬ、蛍光ランプ、メタルハライドランプなどが使用できる。光源１４３の形成位置によってエッジ形、直下形などがあり、液晶表示装置の用途によって種々選択／変更することができる。
【００２３】
反射シート１４４は、導光板１４２の下部に設けられ、光源１４３から入射した光をバックライトユニット１４０の射出光面方向に反射させて光利用効率を高め、また入射光全体の反射量を調節して、光源１４３が、射出光面全体で均一な輝度分布を有するようにする。
前述したような本発明の一実施形態による液晶表示装置は画像が実現される液晶パネル上に接着性を有する緩衝層を介在して透明フィルムを設けることによって、外部からのスクラッチ又は衝撃などから液晶パネルを保護する。従来の液晶表示装置の場合、ガラスなどからなる保護窓が液晶パネルと離隔されて設けられ、外部衝撃によって容易に破損し、全体液晶表示装置の厚さと重さとを増大させていた。一方、本発明の一実施形態による液晶表示装置では、軽く、外部衝撃に強い材質の透明フィルムを備え、複合機能を有する緩衝層を使用することによって軽量薄形化を実現することができる。
【００２４】
以下、図２を参照して本発明の他の実施形態による液晶表示装置について説明する。図３は、本発明の他の実施形態による液晶表示装置２０の一部断面図である。ここで、各層は、必ずしも実際のサイズを示すものではない。
本発明の他の実施形態による液層表示装置２０は、透明フィルムにハードコーティング層１１２をさらに含むことを以外、本発明の一実施形態による液晶表示装置１０、１０’（図１Ａ及び図１Ｂ参照）と同一なので、透明フィルム１１０を以外の部分については便宜上、説明を省略する。
【００２５】
図３を参照すれば、本発明の他の実施形態による液晶表示装置２０に含まれる透明フィルム１１０は、液晶パネル１３０を保護するための層であって、外部からのスクラッチを防止し、及び耐薬品性を確保するための層である。透明フィルム１１０はスクラッチに強く、耐薬品性がある材質で形成されていることが好ましい。また、透明フィルム１１０は、液晶パネル１３０を通じて実現される画像が外部から観察できるように、例えば少なくとも約６０％の光透過率、さらに約９０％以上の光透過率を有していることが好ましい。したがって、透明フィルム１１０は前述したような特性を満足させる高分子フィルム１１１と高分子フィルム１１１に形成されたハードコーティング層１１２とがこの順に積層されて、構成される。高分子フィルムは、例えばＰＥＴ、ＰＣ又はＰＭＭＡなどで形成することができる。ハードコーティング層１１２は感光性樹脂、例えば紫外線感光性樹脂などを含むことができる。この際、ハードコーティング層１１２は、鉛筆硬度計３Ｈ〜４Ｈの硬度を有していることが好ましい。
【００２６】
前述したように、本発明の他の実施形態による液晶表示装置は、液晶パネル１３０上に形成された透明フィルムが高分子フィルムとハードコーティング層１１２から構成されることによって、高分子フィルム単独で構成された場合より、より向上したスクラッチについての耐久性と耐薬品性とを有する。したがって、ハードコーティング層をさらに備えた液晶表示装置２０は、外部からのスクラッチ又は化学薬品から液晶パネルを効果的に保護できる。
【００２７】
以下、図３を参照して本発明のさらに他の実施形態による液晶表示装置について説明する。図３は、本発明のさらに他の実施形態による液晶表示装置３０の断面図である。ここで、各層は、必ずしも実際サイズを示すものではない。
本発明のさらに他の実施形態による液晶表示装置３０は、第２の液晶パネル２３０’をさらに含むことを除いては本発明の一実施形態による液晶表示装置１０、１０’（図１Ａ及び図１Ｂ参照）と同一なので、重複する部分については便宜上、説明を省略する。
【００２８】
図３を参照すれば、液晶表示装置３０は、第１の液晶パネル２３０と第１のバックライトユニット２４０及び第２の液晶パネル２３０’と第２のバックライトユニット２４０’から構成された液晶パネルモジュール３５０を含む。
第１の液晶パネル２３０は、薄膜トランジスターアレイを備える第１の基板２３１と、第１の基板２３１上に液晶層２３２を介在して結合するカラーフィルター層を備える第２の基板２３３とを含む。ここで、第１の液晶パネル２３０の最外郭にはそれぞれ第１及び第２の偏光板２３４、２３５を含む。
【００２９】
また、第１の基板２３１の下部には、第１のバックライトユニット２４０が設けられており、第１のバックライトユニット２４０は光学シート２４１、導光板２４２、ランプ２４３及び反射板２４４などを含む。同様に、第２の液晶パネル２３０’は薄膜トランジスターアレイを備える第１の基板２３１’、第１の基板２３１’上に液晶層２４２’を介在して結合するカラーフィルター層を備える第２の基板２３３’を含む。ここで、第２の液晶パネル２３０’の最外郭には、それぞれ第１及び第２の偏光板２３４’、２４５’を含む。
【００３０】
第１の基板２３１’の下部には、第２のバックライトユニット２４０’が設けられており、第２のバックライトユニット２４０’は光学シート２４１’、導光板２４２’、ランプ２４３’及び反射板２４４’などを含む。液晶パネルモジュール２５０での第１及び第２の液晶パネル２３０、２３０’の各第１の基板２３１、２３１’が互いに対向して設けられる。すなわち、液晶パネルモジュール２５０の両面に画像が実現できるように画像が実現される領域の反対面が互いに背にするように結合されている。
【００３１】
第１及び第２の液晶パネル２３０、２３０’を含む液晶表示モジュール２５０の各第２の基板２３３、２３３’の上面には第１及び第２の液晶パネル２３０、２３０’をそれぞれ保護するための透明フィルム２１０、２１０’が形成され、各透明フィルム２１０、２１０’の下部には緩衝層２２０、２２０’が形成されている。接着性を有する緩衝層２２０、２２０’は、第１及び第２の液晶パネル２３０、２３０’の各第２の基板２３３、２３３’上に透明フィルム２１０、２１０’を接着させ、外部からの衝撃を緩和する。
【００３２】
前述したような本発明のさらに他の実施形態による液晶表示装置は、液晶表示モジュールの両面の画像が実現される部分に緩衝層を用いて透明フィルムを接着させることによって、軽くて外部衝撃に強い液晶表示装置を提供できる。
以下、図４を参照して本発明のさらに他の実施形態による液晶表示装置について説明する。図５は、本発明のさらに他の実施形態による液晶表示装置４０の断面図である。ここで、各層は、必ずしも実際サイズを示すものではない。
【００３３】
本発明のさらに他の実施形態による液晶表示装置４０は、各透明フィルム２１０、２１０’にハードコーティング層２１２、２１２’をさらに含むことを除いては、図３に示したような本発明のさらに他の実施形態による液晶表示装置３０と同一なので、透明フィルム２１１、２１１’以外の部分については便宜上、説明を省略する。
図４を参照すれば、本発明のさらに他の実施形態による液晶表示装置４０に含まれる各透明フィルム２１０、２１０’は、第１及び第２の液晶パネル２３０、２３０’を保護するための層であって、外部からのスクラッチを防止し、耐薬品性を確保するための層である。各透明フィルム２１０、２１０’は、スクラッチに強く、耐薬品性がある材質で形成されなければならない。また、各透明フィルム２１０、２１０’は第１及び第２の液晶パネル２３０、２３０’を通じて実現される画像が外部から観察できるように、つまり、視野確保が可能なように、例えば少なくとも約６０％の光透過率、さらに約９０％以上の光透過率を有していることが好ましい。したがって、各透明フィルム２１０、２１０’は、前述したような特性を満足させる高分子フィルム２１１、２１１’と高分子フィルム２１１、２１１’に形成されたハードコーティング層２１２、２１２’ とがこの順で、液晶表示モジュール２５０の第１及び第２の液晶パネル２３０、２３０’の各第２の基板２３３、２３３’上に形成される。
【００３４】
前述したように、本発明のさらに他の実施形態による液晶表示装置は、第１及び第２の液晶パネル上にそれぞれ形成された透明フィルムが高分子フィルムの外にハードコーティング層をさらに備えることによって、外部のスクラッチ又は化学薬品から第１及び第２の液晶パネルを効果的に保護できる。
以下、図５及び図６を参照して本発明の一実施形態による携帯用表示装置について説明する。図５は、本発明の一実施形態による携帯用表示装置の斜視図であり、図６は図５のＡ領域の縦断面図である。
【００３５】
図５に示された携帯用表示装置１００は、ホルダー形携帯用表示装置１００であって、左側の図面はホルダーを閉めた状態であり、右側の図面はホルダーを開けた状態を示す図面である。図面には、携帯用表示装置１００がホルダー形に示されているが、これに限定されることではない。
図６を参照すれば、図５の携帯用表示装置１００のＡ領域の縦断面図が示されている。携帯用表示装置１００は、前述した図１Ａ〜図３に示したような液晶表示装置１０、１０’又は２０を含む。こうした液晶表示装置１０、１０’又は２０は、透明フィルム１１０、緩衝層１２０、液晶パネル１３０及びバックライトユニット１４０などを含む。
【００３６】
また、携帯用表示装置１００は、液晶表示装置１０、１０’又は２０を収容、固定及び支持するための多数のフレーム１１６、１１７、１０２を含み、これらをハウジングするためのケース１２２を含む。液晶表示装置１０、１０’又は２０及びその構成要素については既に説明したのでここでは、それについての詳細な説明を省略し、以下では異なる構成要素を中心に液晶表示装置１００が液晶表示装置１０、１０’又は２０内でハウジングされる構造を中心に説明する。
【００３７】
第１のフレーム１０２は、液晶表示装置１０、１０’又は２０と、第２のフレーム１１７と、第３のフレーム１１６とを収容する。これについてより具体的に説明すると、第１のフレーム１０２内には、光学シート１４１、導光板１４２、光源１４３及び反射シート１４４などのバックライトユニット１４０が収容されている。一方、第２のフレーム１１７内には、光学シート１４１、導光板１４２、光源１４３及び反射シート１４４などのバックライトユニット１４０が固定されるように収容されている。ここで、第２のフレーム１１７は、中央に開口部が形成されており、開口部に光学シート１４１が設けられている。このように形成された開口部を通じて光源１４３からの光が通過できる。他方、第２のフレーム１１７上には液晶表示装置１０又は２０が収容されている。ここで、第２の偏光板１３５には、透明フィルム１１０が形成されている。透明フィルム１１０は、図１Ａ及び図１Ｂでのように高分子フィルムのみから構成してもよいし、図２でのように高分子フィルム１１１とハードコーティング層１１２とから構成してもよく、これは緩衝層１２０によって液晶パネル１３０の第２の基板１３３上に形成された第２の偏光板１３５に付着されている。一方、第３のフレーム１１６は液晶表示装置１０、１０’又は２０を固定する。
【００３８】
以上のように第１のフレーム１０２内に液晶表示装置１０、１０’又は２０、第２のフレーム１１７、第３のフレーム１１６が収容された構造物は液晶表示装置１０、１０’又は２０の画像領域が現れるように中央にウィンドウが形成された第１のケース１２２ａ及び第２のケース１２２ｂによってハウジングされる。
他方、第１のケース１２２ａに形成されたウィンドウで第１のフレーム１０２及び第３のフレーム１１６が現れる部分を保護ケース１１９が覆われるようになっている。ここで、保護ケース１１９が形成された部分は、従来の液晶表示装置を保護するための保護窓が両面テープによって付着される部分である。しかしながら、本発明の一実施形態による携帯用表示装置１００では、保護窓が使用されないので、この部分には保護ケース１１９が第１のケース１２２ａのウィンドウに現れる第１のフレーム１０２及び第３のフレーム１１６を保護するように形成されている。一方、保護ケース１１９は、第１のケース１２２ａと一体形に形成されていてもよい。
【００３９】
前述したように本発明の一実施形態による携帯用表示装置の液層パネルに接着性を有する緩衝層を用いて透明フィルムを接着させることによって、軽くて外部衝撃に強い携帯用表示装置を提供できる。本発明の一実施形態による携帯用表示装置は、従来携帯用液晶表示装置を構成した保護窓が不要であるため、保護窓と液晶パネルの間の離隔間隔もまた不要である。したがって、本発明の一実施形態による携帯用表示装置は、従来の携帯用表示装置に対して、薄膜化することができ（約３０％）、重量を減少させることができる。
【００４０】
以下、図７及び図８を参照して本発明の他の実施形態による携帯用表示装置について説明する。図７は、本発明の他の実施形態による携帯用表示装置の斜視図であり、図８は図７のＢ領域の縦断面図である。
図７に示された携帯用表示装置２００は、ホルダー形携帯用表示装置２００であって、左側の図面はホルダーを閉めた状態であり、右側の図面はホルダーを開けた状態を示す図面である。図面には、携帯用表示装置２００がホルダー形に示されているが、これに限定されることではない。図８を参照すれば、携帯用表示装置２００は、第１の液晶パネルと第２の液晶パネルが備えられている。
【００４１】
図８を参照すれば、図７の携帯用表示装置２００のＢ領域の縦断面図が示されている。携帯用表示装置２００は、図３又は図４に示したような液晶表示装置３０又は４０を含む。こうした液晶表示装置３０又は４０は、第１の液晶パネル２３０及び第２の液晶パネル２３０’を含む。ここで、透明フィルム２１０、２１０’は、それぞれ第１及び第２の液晶パネル２３０、２３０’の各第２の基板２３３、２３３’の上面に形成された各第２の偏光板２３５、２３５’上に形成されている。その他の構成要素については既に説明したので、ここではそれについての具体的な説明を省略する。
【００４２】
また、携帯用表示装置２００は、液晶表示装置３０又は４０を収容及び支持するための多数のフレーム２１６、２１６’、２１７、２１７’、２０２を含み、これらをハウジングするためのケース２２２を含む。ここで、液晶表示装置３０又は４０を収容及び支持するための多数のフレーム２１６、２１６’、２１７、２１７’、２０２及びこれらをハウジングするためのケース２２２は、一実施形態による携帯用表示装置１００（図６参照）と殆ど同一なので、これについての具体的な説明は省略する。
【００４３】
但し、第１のフレーム２０２は、第１の液晶パネル２３０及び第１のバックライトユニット２４０を収容して、これを支持及び固定するだけではなく、第２の液晶パネル２３０’及び第２のバックライトユニット２４０’を固定するために用いられる。また、第１のケース２２２ａ及び第２のケース２２２ｂは、第１の液晶パネル２３０及び第２の液晶パネル２３０’の画像実現領域に対応する位置にウィンドウが形成されている。また、それぞれのウィンドウ領域でフレーム２０２、２１６、２１６’を保護するための保護ケース２１９、２１９’が形成されている。これらの保護ケース２１９、２１９’はそれぞれ第１のケース２２２ａ及び第２のケース２２２ｂと一体形に製造することができる。
【００４４】
前述したように、以上のような構造を有する携帯用表示装置２０においても、第１の液晶パネル２３０及び第２の液晶パネル２３０’の各第２の偏光板２３５、２３５’上には透明フィルム２１０、２１０’が形成されている。これについての具体的な説明は既に言及したので、ここには省略する。
前述したように本発明の他の実施形態による携帯用表示装置の第１及び第２の液層パネルに接着性を有する緩衝層を用いて透明フィルムを接着させることによって、軽くて外部衝撃に強い携帯用表示装置を提供できる。本発明の他の実施形態による携帯用表示装置は、従来携帯用液晶表示装置を構成した保護窓が不要であるため、保護窓と液晶パネルの間の離隔間隔もまた不要である。したがって、本発明の他の実施形態による携帯用表示装置は、従来の携帯用表示装置に対して、薄膜化することができ、重量を低減させることができる。
【００４５】
以上、添付した図面を参照して本発明の好適な実施形態を説明したが、当業者であれば、本発明の技術的思想や必須的な特徴を変更せずに他の具体的な形態で実施されうることを理解することができる。したがって、上述した好適な実施形態は、例示的なものであり、限定的なものではないと理解されるべきである。
【産業上の利用可能性】
【００４６】
本発明は、ディスプレイ装置全般、例えば、液晶表示装置及びこれを含む携帯用表示装置等に適用することができる。
【図面の簡単な説明】
【００４７】
【図１Ａ】本発明の実施形態による液晶表示装置の一部断面図である。
【図１Ｂ】本発明の別の実施形態による液晶表示装置の一部断面図である。
【図２】本発明のさらに別の実施形態による液晶表示装置の一部断面図である。
【図３】本発明のさらに別の実施形態による液晶表示装置の一部断面図である。
【図４】本発明のさらに別の実施形態による液晶表示装置の一部断面図である。
【図５】本発明の一実施形態による携帯用表示装置の斜視図である。
【図６】図５のＡ領域の縦断面図である。
【図７】本発明の他の実施形態による携帯用表示装置の斜視図である。
【図８】図７のＢ領域の縦断面図である。
【符号の説明】
【００４８】
１０、１０’、２０、３０、４０：液晶表示装置
１００、２００：携帯用表示装置
１１０、２１０、２１０’：透明フィルム
１１１、２１１、２１１’：高分子フィルム
１１２、２１２、２１２’：ハードコーティング層
１２０、２２０、２２０’：緩衝層
【図１Ａ】
2006195466.tif 000003
【図１Ｂ】
2006195466.tif 000004
【図２】
2006195466.tif 000005
【図３】
2006195466.tif 000006
【図４】
2006195466.tif 000007
【図５】
2006195466.tif 000008
【図６】
2006195466.tif 000009
【図７】
2006195466.tif 000010
【図８】
2006195466.tif 000011